(57)【要約】【課題】離れた場所から確実に遠隔操作できるエアーコンプレッサを提供する。【解決手段】本発明のコンプレッサは、スマートフォンなどの携帯装置との間で双方向無線通信ができるように構成されており、圧縮エアーを生成する圧縮装置と、コンプレッサの制御などに関するリクエストを携帯装置から受信する手段と、携帯装置から受信したリクエストを実行する手段と、リクエスト実行結果などに関するアンサーバックを携帯装置に送信する手段を有する。エアーコンプレッサと携帯装置との間の通信方式に無線通信を採用することで、遮蔽物などが多い建築現場においてコンプレッサを確実に遠隔操作できる。また、コンプレッサからアンサーバックを受けることで、コンプレッサの設置場所にわざわざ戻らなくても、コンプレッサの現状を遠隔地から確実に把握できる。また、コンプレッサからアンサーバックを受けることで、操作ミスの放置などを確実に防止できる。【選択図】図１
2016205326.tif 000002
【特許請求の範囲】
【請求項１】
携帯型情報端末または携帯型リモートコントローラからなる携帯装置との間で、双方向無線通信ができるように構成されたエアーコンプレッサであって、
圧縮エアーを生成して出力するための圧縮装置と、
エアーコンプレッサの制御やモニタリングに関するリクエストを携帯装置から受信するためのリクエスト受信手段と、
前記携帯装置から受信したリクエストを実行するためのリクエスト実行手段と、
前記リクエスト実行手段による実行結果を含むアンサーバック情報を、前記携帯装置に送信するためのアンサーバック手段と、
を有するエアーコンプレッサ。
【請求項２】
さらに、
前記リクエスト実行手段によるリクエストの完了に時間を要する場合に、そのリクエストの進行状況を前記携帯装置に送信するための進行状況通知手段を有することを特徴とする請求項１に記載のエアーコンプレッサ。
【請求項３】
さらに、
エアーコンプレッサに異常が発生した場合に異常を検出するための異常検出手段と、
前記異常検出手段によって検出された異常発生の事実および／または内容を、前記携帯装置に送信するための異常通知手段と、
を有することを特徴とする請求項１に記載のエアーコンプレッサ。
【請求項４】
さらに、
前記圧縮装置に設けられた電動式の減圧弁と、
前記減圧弁の二次側圧力を検出するための圧力センサと、
前記減圧弁の一次側圧力の変動にかかわらず、二次側圧力を一定に保つための二次側圧力保持手段と、を有することを特徴とする請求項１に記載のエアーコンプレッサ。
【請求項５】
請求項１乃至４の何れかに記載のエアーコンプレッサとの間で双方向無線通信ができるように構成された携帯型情報端末または携帯型リモートコントローラからなる携帯装置であって、
エアーコンプレッサの制御やモニタリングに関するリクエストを、該エアーコンプレッサに送信するためのリクエスト送信手段と、
エアーコンプレッサでのリクエスト実行結果を含むアンサーバック情報を、エアーコンプレッサから受信するためのアンサーバック受信手段と、
受信したアンサーバック情報の全部または一部を、携帯装置を所持するユーザに報知するためのアンサーバック報知手段と、
を有する携帯装置。
【請求項６】
さらに、
エアーコンプレッサとの間での無線通信ができない事態に至った場合に、携帯装置を所持するユーザに通信不能を報知するための通信不能報知手段を有することを特徴とする請求項５に記載の携帯装置。
【請求項７】
請求項１乃至４に記載のエアーコンプレッサと請求項５又は６に記載の携帯装置とを含んで構成される、エアーコンプレッサのリモートコントロールシステム。
【請求項８】
携帯型情報端末または携帯型リモートコントローラからなる携帯装置を利用して、遠隔地からエアーコンプレッサをリモートコントロールする方法であって、
エアーコンプレッサの制御やモニタリングに関するリクエストを携帯装置からエアーコンプレッサに送信するステップと、
携帯装置から受信したリクエストをエアーコンプレッサにおいて実行するステップと、
前記リクエストの実行結果を含むアンサーバック情報を、携帯装置に送信するステップと、を含むエアーコンプレッサのリモートコントロール方法。
【請求項９】
携帯型情報端末または携帯型リモートコントローラが具備するプロセッサを、
エアーコンプレッサの制御やモニタリングに関するリクエストを、該エアーコンプレッサに送信するためのリクエスト送信手段、
エアーコンプレッサでのリクエスト実行結果を含むアンサーバック情報を、エアーコンプレッサから受信するためのアンサーバック受信手段、および
受信したアンサーバック情報の全部または一部を、携帯装置を所持するユーザに報知するための報知手段、
として機能させるプログラム。
【発明の詳細な説明】
【技術分野】
【０００１】
本発明は、釘打機やネジ打機などのエアー工具に向けて圧縮エアーを供給するためのエアーコンプレッサと、該コンプレッサとの間で双方向無線通信が可能な携帯装置と、エアーコンプレッサのリモートコントロールシステム及び方法と、これらの発明の実施に利用するプログラムに関するものである。
【背景技術】
【０００２】
釘打機やネジ打機などのエアー工具に向けて圧縮エアーを供給する機器としてエアーコンプレッサが一般的に知られており、建築現場などの各種工事現場で広く用いられている。
【０００３】
例えば建築現場では、エアー駆動式の釘打機やネジ打機などが一般的に使用され、その動力供給機器としてエアーコンプレッサが使用される。図１１に示すように、エアー工具はエアーホースを介してエアーコンプレッサに接続されている。このエアーコンプレッサは、生成した圧縮エアーをタンクに貯留するとともに、減圧弁を介して所定圧力に減圧して出力する。減圧弁を介して出力された所定圧力の圧縮エアーは、離れた場所（作業場所）にあるエアー工具にエアーホースを介して供給される。
【０００４】
釘打機をはじめとするエアー工具を駆動させるためには、動力供給源であるエアーコンプレッサが不可欠であり、そのため、エアー工具を使用する際には必然的にエアーコンプレッサの操作（例えば減圧弁を介して出力される圧力値の調整など）が必要となる。エアー工具は、適切に操作されたエアーコンプレッサから圧縮エアーの供給を受けることで、はじめて使用することができる。
【０００５】
電動式のエアーコンプレッサを駆動させるためには電源が不可欠であるため、建設現場などでのエアーコンプレッサの設置場所は必然的に制約を受けることになる。
一方で、建設現場などでのエアー工具の使用エリアは広範囲に及ぶため、エアー工具は、エアーコンプレッサの設置場所から離れた位置（エアーホースの届く範囲）で使用されることが一般的である。
そのため、建設現場などでエアー工具を使用する際には、ユーザは、離れた場所にあるエアーコンプレッサを操作しつつ、手元のエアー工具を使用する必要がある。
【発明の概要】
【発明が解決しようとする課題】
【０００６】
上述したとおり、建築現場などでは、エアー工具はエアーコンプレッサから離れた場所で使用されることが一般的である。そのため図１１に示すとおり、エアー工具のユーザは、エアーコンプレッサの設置場所とエアー工具の使用場所との間で繰り返し移動して、該コンプレッサを操作しつつ（電源のON/OFFや圧力値の調整など）、離れた場所でエアー工具を使用する必要があった。
【０００７】
しかしながら、例えば建築現場の１階にエアーコンプレッサを設置し、２階でエアー工具を使用するといった場合などでは、該コンプレッサの設置場所とエアー工具の使用場所との間での移動が煩雑で、作業の妨げになるといった問題があった。
【０００８】
上記のような問題に鑑み、赤外線リモコンを利用してエアーコンプレッサを制御することが本願出願人によって提案された。しかしながら、赤外線には指向性があるため、遮蔽物がある場合（例えばフロアが異なる場合や壁がある場合など）では赤外線信号が遮られて、コンプレッサが受信できないため、ほとんどの現場で実用に耐えないといった問題があった。
【０００９】
また、赤外線リモコンによる遠隔操作は、リモコンからコンプレッサに対する一方的な指示送信だけで完結するため、指示送信後のコンプレッサの実際の状況や、指示内容が無事に完了したか否かについて、ユーザは作業位置（エアー工具の使用場所）にいたままで知ることができなかった。
【００１０】
また、上述したとおり、エアーコンプレッサから離れた場所で作業するユーザは、その作業場所（エアー工具の使用場所）においてコンプレッサの現状を把握する術がなかったため、例えばオーバーヒートなどが原因でコンプレッサが（ユーザが知らない間に）停止した場合でも、ユーザはその事態を把握することができなかった。そのためユーザが知らない間に、例えば出力圧が低下して、エアー工具による釘打ちやネジ打ちに不良が発生するといった問題があった。
【００１１】
上述した従来技術の問題点に鑑み、本発明の目的は、遮蔽物の有無にかかわらずエアーコンプレッサを確実に遠隔操作することができ、また、コンプレッサの状況についてユーザが遠隔地にいたままで把握することができ、さらに、作業現場におけるエアーコンプレッサの現状（異常事態）などを離れた場所で把握することを可能にする手段、方法、プログラムを提供することにある。
【課題を解決するための手段】
【００１２】
上記目的は、
携帯型情報端末または携帯型リモートコントローラからなる携帯装置との間で、双方向無線通信ができるように構成されたエアーコンプレッサであって、
圧縮エアーを生成して出力するための圧縮装置と、
エアーコンプレッサの制御やモニタリングに関するリクエストを携帯装置から受信するためのリクエスト受信手段と、
前記携帯装置から受信したリクエストを実行するためのリクエスト実行手段と、
前記リクエスト実行手段による実行結果を含むアンサーバック情報を、前記携帯装置に送信するためのアンサーバック手段と、
を有するエアーコンプレッサによって達成される。
【００１３】
上記エアーコンプレッサは、さらに、
前記リクエスト実行手段によるリクエストの完了に時間を要する場合に、そのリクエストの進行状況を前記携帯装置に送信するための進行状況通知手段を有する。
【００１４】
上記エアーコンプレッサは、さらに、
エアーコンプレッサに異常が発生した場合に異常を検出するための異常検出手段と、
前記異常検出手段によって検出された異常発生の事実や内容などを含む情報を、前記携帯装置に送信するための異常通知手段と、
を有する。
【００１５】
上記エアーコンプレッサは、さらに、
前記圧縮装置に設けられた電動式の減圧弁と、
前記減圧弁の二次側圧力を検出するための圧力センサと、
前記減圧弁の一次側圧力の変動にかかわらず、二次側圧力を一定に保つための二次側圧力保持手段と、を有する。
【００１６】
また上記目的は、エアーコンプレッサとの間で双方向無線通信ができるように構成された携帯型情報端末または携帯型リモートコントローラからなる携帯装置であって、
エアーコンプレッサの制御やモニタリングに関するリクエストを、該エアーコンプレッサに送信するためのリクエスト送信手段と、
エアーコンプレッサでのリクエスト実行結果を含むアンサーバック情報を、エアーコンプレッサから受信するためのアンサーバック受信手段と、
受信したアンサーバック情報の全部または一部を、携帯装置を所持するユーザに報知するためのアンサーバック報知手段と、
を有する携帯装置によって達成される。
【００１７】
上記携帯装置は、さらに、
エアーコンプレッサとの間での無線通信ができない事態に至った場合に、携帯装置を所持するユーザに通信不能を報知するための通信不能報知手段を有する。
【００１８】
また上記目的は、エアーコンプレッサと携帯装置とを含んで構成される、エアーコンプレッサのリモートコントロールシステムによって達成される。
【００１９】
また上記目的は、携帯型情報端末または携帯型リモートコントローラからなる携帯装置を利用して、遠隔地からエアーコンプレッサをリモートコントロールする方法であって、
エアーコンプレッサの制御やモニタリングに関するリクエストを携帯装置からエアーコンプレッサに送信するステップと、
携帯装置から受信したリクエストをエアーコンプレッサにおいて実行するステップと、
前記リクエストの実行結果を含むアンサーバック情報を、携帯装置に送信するステップと、を含むエアーコンプレッサのリモートコントロール方法によって達成される。
【００２０】
また上記目的は、
携帯型情報端末または携帯型リモートコントローラが具備するプロセッサを、
エアーコンプレッサの制御やモニタリングに関するリクエストを、該エアーコンプレッサに送信するためのリクエスト送信手段、
エアーコンプレッサでのリクエスト実行結果を含むアンサーバック情報を、エアーコンプレッサから受信するためのアンサーバック受信手段、および
受信したアンサーバック情報の全部または一部を、携帯装置を所持するユーザに報知するための報知手段、
として機能させるプログラムによって達成される。
【発明の効果】
【００２１】
請求項１に記載の発明によれば、エアーコンプレッサは、携帯装置との間で双方向無線通信できるように構成されており、携帯装置から受けたリクエストの実行結果などを携帯装置に向けてアンサーバックする。携帯装置の具体例としては、例えばユーザが所持または携帯するスマートフォンやリモコンなどが挙げられる。
上記のように、エアーコンプレッサと携帯装置との間の通信方式に無線通信を採用することで、双方向通信が可能となる。そして、無線通信は赤外線通信と異なり通信の指向性がほとんど無い（または弱い）ので、遮蔽物の有無にかかわらず、両者の間で信号のやりとりを行うことができる。したがって、建築現場などにおいて携帯装置を利用してエアーコンプレッサを確実に遠隔操作することができる。
また、エアーコンプレッサに送信したリクエストに対して、該コンプレッサからアンサーバックを受けることで、リクエスト内容（出力する圧力値の変更など）が無事に完了したか否かについて、ユーザは作業位置（エアー工具の使用場所）にいたままで把握することができる。また、アンサーバックが返信されない場合には、ユーザは、エアーコンプレッサ側で何らかの不具合が発生したことを把握することができる。したがって本発明によれば、圧力値の変更などが無事に完了したか否かなどについて、エアーコンプレッサの設置場所にわざわざ戻らなくても、遠隔地から確実に把握することができる。
また、エアーコンプレッサからアンサーバックを受けることで、操作ミスや操作ミスの放置などを確実に防止できる。
また、エアーコンプレッサからアンサーバックを受けることで、エアーコンプレッサの現状設定を確認できるので、エアー工具による施工不良などを確実に防止できる。
【００２２】
請求項２に記載の発明によれば、エアーコンプレッサは、携帯装置から受信したリクエストの処理に時間を要する場合に、そのリクエストの進行状況を携帯装置に送信する。
例えば、リクエストした圧力値（圧縮エアーの出力値／設定圧力）に到達するまでに５分程度の時間を要する場合に、ユーザは、現在の到達値を離れた場所から正確に把握することができる。また、必ずしも「設定圧力＝使用圧力」とは限らないため、ユーザは、（設定圧力に未到達であっても）自己の使用工具に必要な圧力値に到達した段階で、いち早く釘打ち等の作業を開始することができる。
また、エアーコンプレッサでのリクエスト進行状況を携帯装置側に知らせることで、不具合によって時間がかかっているのか、あるいは、リクエストの処理が実際に進行しているのか、を確実に把握できるので、エアーコンプレッサの方へ戻って確認するといった作業が不要になる。
【００２３】
請求項３に記載の発明によれば、エアーコンプレッサは、異常（不具合など）が発生した場合にその異常発生の事実や異常内容を、携帯装置に送信する。
これにより例えば、オーバーヒートなどが原因でコンプレッサが（ユーザが知らない間に）停止した場合において、離れた場所で作業するユーザは、当該離れた場所でその事態を把握することができる。したがって、ユーザが知らない間に、例えば出力可能な圧力が低下して、エアー工具による釘打ちやネジ打ちに不良（施工不良）が発生するといった事態を確実に回避できる。
また、エアーコンプレッサの不具合などを離れた場所で把握できることで、復旧作業などを早期に開始することができ、施工の遅延を抑制することが可能になる。
【００２４】
請求項４に記載の発明によれば、エアーコンプレッサは、電動式の減圧弁と、減圧弁の二次側圧力を検出するための圧力センサとを具備しており、減圧弁の一次側圧力の変動にかかわらず、二次側圧力が一定に保たれるように減圧弁に対してフィードバック制御を行う。このフィードバック制御は、圧力センサで検出された二次側圧力に基づいて行われる。このようなフィードバック制御を行うことで、携帯装置からリクエストされた圧力値（二次側圧力）を、一次側圧力の変動にかかわらず、一定に保つことができる。
【００２５】
請求項５に記載の発明は、上記エアーコンプレッサとの間で双方向無線通信ができるように構成された携帯装置に関するものである。
したがって、建築現場などにおいて携帯装置を利用してエアーコンプレッサを確実に遠隔操作することができる。
また、圧力値の変更などが無事に完了したか否かなどについて、エアーコンプレッサの設置場所にわざわざ戻らなくても、遠隔地から把握することができる。
【００２６】
請求項６に記載の発明によれば、携帯装置は、エアーコンプレッサとの間での無線通信ができない事態に至った場合に、携帯装置を所持するユーザに通信不能を報知する。「無線通信ができない事態」とは、例えば、作業現場でエアーコンプレッサの電源が切られて持ち去られた場合などが挙げられる。したがって、このような特徴（セキュリティ機能）を携帯装置に具備させることで、作業現場におけるエアーコンプレッサの持ち去り・盗難の抑制に貢献することができる。
【００２７】
請求項７に記載の発明は、上述した効果を達成できるエアーコンプレッサと携帯装置とを含んで構成されるシステムに関するものである。
【００２８】
請求項８に記載の発明は、上述した効果を達成できる方法に関するものである。
【００２９】
請求項９に記載の発明は、上述した効果を達成できるプログラムに関するものである。このプログラム（アプリケーションソフトウェア）は、インターネット経由でスマートフォンなどの携帯装置に提供することが可能である。そしてこのプログラムを、既存のスマートフォンなどの携帯装置にインストールすることで、エアーコンプレッサと間で双方向無線通信するための機能を付加させることができる。
【図面の簡単な説明】
【００３０】
【図１】本発明の概要を示す図である。
【図２】本発明を構成するエアーコンプレッサと携帯装置の機能的構成を示すブロック図である。
【図３】ペアリングのための初期設定の処理（ペアリングのための事前準備）の流れを示すフローチャートである。
【図４】コンプレッサと携帯装置をペアリングさせるための処理の流れを示すフローチャートである。
【図５】携帯装置を利用してコンプレッサを遠隔操作する際の処理の流れを示すフローチャートである。
【図６】コンプレッサの減圧弁から出力される圧力値を、携帯装置からの遠隔操作によって変更する際の処理の流れを示すフローチャートである。
【図７】コンプレッサ側の制御プログラムを、携帯装置からの遠隔操作によってアップデートする際の処理の流れを示すフローチャートである。
【図８】コンプレッサ側の現在の状態を、携帯装置からの遠隔操作によって確認する際の処理の流れを示すフローチャートである。
【図９】コンプレッサ側で異常が発生した場合の処理の流れを示すフローチャートである。
【図１０】携帯装置における処理であって、コンプレッサとの双方向無線通信の可否を確認するための処理の流れを示すフローチャートである。
【図１１】従来技術の概要を示す図である。
【発明を実施するための形態】
【００３１】
（本発明の概要）
本発明は、釘打機やネジ打機などのエアー工具に向けて圧縮エアーを供給するためのエアーコンプレッサと、該コンプレッサとの間で双方向無線通信が可能な携帯装置と、エアーコンプレッサのリモートコントロールシステム及び方法と、これらの発明の実施に利用する携帯装置用のコンピュータ・プログラムに関するものである。
【００３２】
本発明の概要を図１に示す。
エアーコンプレッサは、建設現場などにおいて例えば電源近傍に設置される。このエアーコンプレッサは圧縮エアーを生成し、エアーホースを介して、釘打機やネジ打機などのエアー工具に圧縮エアーを供給する。エアー工具は、離れた場所にあるエアーコンプレッサから供給された圧縮エアーを動力源として作動する。現場の作業者（ユーザ）は、エアーコンプレッサから離れた場所でエアー工具を使用するとともに、当該エアーコンプレッサを遠隔操作によって制御したりモニタリングするための機器として携帯装置を利用する。この携帯装置は、エアー工具を使用する作業者等が携帯している機器である。
【００３３】
エアーコンプレッサと携帯装置は、それぞれ双方向無線通信できるように構成されている。携帯装置の具体例には、エアーコンプレッサのユーザ等が所持する携帯型情報端末や、携帯型リモートコントローラ（無線通信方式の遠隔操作専用機器／リモコン）などが含まれる。前者の携帯型情報端末の具体例としては、スマートフォン、携帯電話、タブレット端末、スマートウォッチ、ウェアラブルコンピュータなどが挙げられる。
【００３４】
図１に示すとおり、本発明においてエアーコンプレッサは、双方向無線通信により携帯装置から各種リクエスト（例えば減圧弁を介して出力する圧縮エアーの圧力値の設定や変更の要求など）を受信するとともに、リクエストの実行結果などを携帯装置に向けてアンサーバックする。
【００３５】
この出願における「アンサーバック」には、携帯装置からエアーコンプレッサに対する送信に対して、当該エアーコンプレッサが返信する処理が広く含まれる。アンサーバックの具体例としては、携帯装置から出されたリクエスト（処理命令）がエアーコンプレッサ側で完了したことを当該携帯装置側に返答する処理や、そのリクエストの実行がコンプレッサにおいて進行中であることを返答する処理などが挙げられる。このように本実施形態では、携帯装置から送信されたリクエストに対して、エアーコンプレッサがアンサーバックするので、エアーコンプレッサと携帯装置との間では双方向無線通信が実行される。
【００３６】
エアーコンプレッサと携帯装置との間で実行される双方向無線通信の方式は特に限定されず、その具体例としては例えば、Bluetooth（登録商標）などの近距離無線通信規格や、Wi-Fi（登録商標）などの無線LANといったものが挙げられる。
【００３７】
次に、エアーコンプレッサの構成について説明する。
【００３８】
（エアーコンプレッサの構成）
エアーコンプレッサの概略構成を図２左側に示す。（以下、エアーコンプレッサを必要に応じて「コンプレッサ」と略称する。）
【００３９】
コンプレッサは圧縮エアーを生成して出力するための機器であって、主として、圧縮エアー生成の役割を担う圧縮装置１と、該圧縮装置の制御や携帯装置との送受信などの役割を担う制御装置３を具備している。
【００４０】
図２左側に示すように、コンプレッサの圧縮装置１は、
・圧縮エアー生成用のピストンを駆動するためのモータ１１と、
・電動で圧力を調整できるように構成された減圧弁１３と、
・減圧弁１３に入力される圧力値（一次側圧力）を検出する圧力センサ１５と、
・減圧弁１３を介して出力される圧力値（二次側圧力）を検出する圧力センサ１７と、
・上記各部を制御するとともに、制御装置側プロセッサとの間で制御信号の送受信等を行う制御部であるプロセッサ１９を有している。
【００４１】
圧縮装置１で生成された圧縮エアーは、該圧縮装置が具備するエアータンクに貯留され、減圧弁１３を介して所定圧力値で出力される。減圧弁１３を介して出力される圧縮エアーの圧力値は、エアー工具を使うユーザ側の携帯装置を使って調整（リモートコントロール）することができる。
【００４２】
電動式の減圧弁１３は、減圧弁への入力圧（一次側圧力）を検出する圧力センサ１５と、減圧弁から出力される出力圧（二次側圧力）を検出する圧力センサ１７を備えている。制御装置のプロセッサ３５は、減圧弁の一次側圧力の変動にかかわらず、二次側圧力が一定に保たれるように電動式減圧弁１３に対してフィードバック制御を行う。これにより、携帯装置側からリクエストされた圧力値（二次側圧力）を、一次側圧力の変動にかかわらず、一定に保つことができる。
【００４３】
コンプレッサの制御装置３は、
・該制御装置３や圧縮装置１を制御するためのプログラムなどを記録するメモリ３１と、
・携帯装置との間で双方向無線通信による信号のやりとりを行うための通信部３３と、
・上記各部を制御するとともに、圧縮装置側プロセッサ１９との間で制御信号などの送受信を行うプロセッサ３５（制御部）を有している。
【００４４】
制御装置のメモリ３１には、制御装置や圧縮装置を制御するための制御プログラムや、コンプレッサの機器情報などが記録される。メモリ３１は、例えばＲＯＭ（Read Only Memory）で構成される。
【００４５】
制御装置の通信部３３は、プロセッサ３５による制御のもと、携帯装置との間で各種信号の送受信を行う。通信部３３は、無線通信モジュールで構成される。この通信部３３を介してコンプレッサと携帯装置は相互にワイヤレス接続されるので、双方向無線通信を行うことができる。
【００４６】
制御装置のプロセッサ３５は、当該制御装置３や圧縮装置１を制御するとともに、制御装置や圧縮装置の状態をモニタリングするといった役割を担っている。またプロセッサ３５は、コンプレッサの制御装置を下記（１）〜（７）の各手段として機能させる役割を担っている。
（１）コンプレッサの制御やモニタリングなどに関するリクエスト信号を携帯装置から受信するためのリクエスト受信手段。
（２）携帯装置から受信したリクエストを実行するためのリクエスト実行手段。
（３）リクエスト実行手段による実行結果などを含むアンサーバック情報を、携帯装置に送信するためのアンサーバック手段。
（４）コンプレッサに異常が発生した場合に異常を検出するための異常検出手段。
（５）異常検出手段によって検出された異常の発生や内容を、携帯装置に送信するための異常通知手段。
（６）リクエスト実行手段によるリクエストの完了に時間を要する場合に、そのリクエストの進行状況を携帯装置に送信するための進行状況通知手段。
（７）減圧弁の一次側圧力の変動にかかわらず、二次側圧力を一定に保つための二次側圧力保持手段。
【００４７】
次に、上記構成のエアーコンプレッサとの間で双方向無線通信を実行する携帯装置の構成について説明する。
【００４８】
（携帯装置の構成）
本実施形態では、携帯装置の具体例として、携帯型情報端末の一種であるスマートフォンを例示する。スマートフォンからなる携帯装置の概略構成を図２右側に示す。この携帯装置を携帯する者の代表例としては、エアー工具のユーザ（図１に示すようにエアーホースを介してコンプレッサに接続されたエアー工具を使用する作業者）が挙げられる。
【００４９】
図２右側に示すように、携帯装置は、
・タッチパネルセンサーを具備する液晶ディスプレイからなる表示部５１と、
・コンプレッサとの間で双方向無線通信を行うための通信部５３と、
・コンプレッサの状態などを知らせるアラーム音や音声案内を出力するスピーカ５５と、
・コンプレッサからの着信などを知らせる振動を出力するバイブレータ５７と、
・コンプレッサの遠隔操作やモニタリングなどを実行するための各種プログラムが記録されたメモリ５９と、
・上記の各部を制御するプロセッサ６１（制御部）を有している。
【００５０】
表示部５１はタッチパネルディスプレイで構成されており、ユーザに対して各種情報を表示するほか、コンプレッサに向けて送信する情報を入力するための情報入力手段としての役割を担っている。なお、表示部５１を利用した情報の入力には、タッチ操作による選択行為も含まれる。
【００５１】
通信部５３は、プロセッサ６１による制御のもと、コンプレッサとの間で各種信号の送受信を行う。通信部５３は、無線通信モジュールで構成される。この通信部５３を介して携帯装置とコンプレッサは相互にワイヤレス接続されるので、双方向無線通信を行うことができる。なお通信部５３は、コンプレッサとの間での双方向無線通信を可能にする役割を担うほか、インターネットへのアクセスを可能にする役割も担っている。
【００５２】
スピーカ５５は、アラーム音や音声ガイダンスを出力する役割を担う。例えば、コンプレッサに向けて送信したリクエストに対して、該コンプレッサがアンサーバックを返信してきた場合に、アンサーバックの着信をアラーム音でユーザに知らせることができる。また、音声案内を出力することで、アンサーバックの内容をユーザに知らせることもできる。
【００５３】
バイブレータ５７は、上述したアラーム音や音声ガイダンスなどに代わる振動（あるいはこれらとともに利用される振動）を出力する役割を担う。情報の伝達にバイブレーションを利用することで、騒音の激しい現場でもアンサーバックの着信等を、携帯装置を所持するユーザに確実に報知することができる。
【００５４】
メモリ５９は例えばＲＯＭ（Read Only Memory）で構成され、遠隔操作によるコンプレッサの制御やモニタリングなどを実行するための各種プログラムが記録される。これらのプログラムは、必要に応じてインターネットにアクセスすることで更新することが可能である。
【００５５】
プロセッサ６１は、携帯装置が具備する各部を制御する役割を担っている。またプロセッサ６１は、携帯装置を下記（１）〜（４）の各手段として機能させる役割を担っている。
（１）コンプレッサの制御やモニタリングなどに関するリクエストを、該コンプレッサに送信するためのリクエスト送信手段。
（２）コンプレッサでのリクエスト実行結果を含むアンサーバック情報を、コンプレッサから受信するためのアンサーバック受信手段。
（３）受信したアンサーバック情報の全部または一部を、携帯装置を所持するユーザに報知するためのアンサーバック報知手段。
（４）コンプレッサとの間での無線通信ができない事態に至った場合に、携帯装置を所持するユーザに通信不能を報知するための通信不能報知手段。
なお、ユーザに対する報知には、表示部、スピーカ、バイブレータのいずれか１種または２種以上の組み合わせを利用することができる。
【００５６】
以下、上述した構成のコンプレッサと携帯装置における各種情報処理の流れについて説明する。
【００５７】
（ペアリングのための初期設定の処理）
図３は、ペアリングのための初期設定の処理（ペアリングのための事前準備）の流れを示している。
コンプレッサと携帯装置との間で双方向無線通信を実行するためには、両者の間でのペアリングの成立が必要となる。ペアリングとは、双方向無線通信を行う機器同士をあらかじめ相互に登録する処理をいう。
【００５８】
ペアリングのための初期設定の処理では、はじめにユーザは、コンプレッサの電源をＯＮにセットする。この状態でコンプレッサはスタンバイ状態で待機している＜図３のステップS101＞。
【００５９】
また、ユーザは携帯装置の電源をＯＮにセットし、コンプレッサの制御・モニタリング用のアプリケーションを起動させ、さらに、ペアリング初期設定のメニューを選択する。これにより、ワイヤレス接続可能な機器（通信圏内にある機器）のＩＤ等の一覧が画面に表示されるので、ユーザは、当該画面において接続対象のコンプレッサを選択する。なお本実施形態において、携帯装置を利用した選択操作・入力操作は、携帯装置の表示部（タッチディスプレイ）に対するタッチ操作によって行うことができる。
【００６０】
タッチ操作によってユーザが接続対象のコンプレッサを選択すると＜S103＞、当該コンプレッサに向けて、自己の携帯装置ＩＤ（当該携帯装置を相手側で識別するための識別情報）が送信される＜S105＞。
【００６１】
コンプレッサの通信部は、携帯装置から携帯装置ＩＤを受信するとともに、当該携帯装置ＩＤを双方向無線通信の接続先としてメモリに登録する＜S107, S109＞。続いてコンプレッサは、当該携帯装置に向けて、自己のコンプレッサＩＤ（当該コンプレッサを相手側で識別するための識別情報）を送信する＜S103＞。
【００６２】
携帯装置の通信部は、コンプレッサからコンプレッサＩＤを受信するとともに、当該コンプレッサＩＤを双方向無線通信の接続先としてメモリに登録する＜S113, S115＞。
【００６３】
以上の処理を経て、コンプレッサと携帯装置との間のペアリング初期設定（ペアリングのための事前準備）が完了する＜S117＞。
【００６４】
（ペアリングの処理）
図４は、コンプレッサと携帯装置をペアリングさせるための処理の流れを示している。
前述したペアリング初期設定が完了している場合、図４に示す処理を経ることで、コンプレッサと携帯装置をペアリングさせることができる。
【００６５】
ペアリング処理では、はじめにユーザは、コンプレッサの電源をＯＮにセットして、該コンプレッサをスタンバイさせる＜図４のステップS201＞。
【００６６】
また、ユーザは携帯装置の電源をＯＮにセットし、コンプレッサの制御・モニタリング用のアプリケーションを起動させる。これにより、ペアリング可能機器（前述したペアリング初期設定が完了している機器）の一覧が画面に表示されるので、ユーザは、当該画面においてペアリング対象のコンプレッサを選択する＜S203, S205＞。
【００６７】
タッチ操作によってユーザがペアリング対象のコンプレッサを選択すると、当該コンプレッサに向けて、自己の携帯装置ＩＤ（当該携帯装置を相手側で識別するための識別情報）が送信される＜S207＞。
【００６８】
コンプレッサの通信部は、携帯装置から携帯装置ＩＤを受信するとともに＜S209＞、ペアリングを許可する旨をコンプレッサから携帯装置側に送信し＜S211＞、続いて、ペアリングが成立した旨が携帯装置の表示部に表示される＜S213＞。以上の処理を経て、コンプレッサと携帯装置のペアリングが完了し＜S215＞、以後は、両者の間で遠隔操作やアンサーバック等のための双方向無線通信を行うことができる。
【００６９】
以下、コンプレッサと携帯装置の間において上述したペアリングが成立していることを前提として、各処理の実施形態を説明する。
【００７０】
（携帯装置を利用した遠隔操作の処理）
図５は、携帯装置を利用してコンプレッサを遠隔操作する際の処理の流れを示している。なお、この出願において「遠隔操作」には、コンプレッサの制御やモニタリング（状態確認）などをリモートコントロールによって実行することが含まれる。
【００７１】
ペアリング成立後、コンプレッサの制御装置は電源ＯＮ状態でスタンバイしている＜図５のステップS301＞。この状態でコンプレッサは、携帯装置からリクエスト（処理命令）を受信することが可能である。
【００７２】
一方、ペアリング成立後の携帯装置の表示部には、メニュー画面が表示されている。ユーザが「遠隔操作」に関するメニューを選択すると、選択可能な遠隔操作項目が一覧表示される＜S303＞。
【００７３】
選択可能な遠隔操作の項目の具体例としては、例えば、
（１）コンプレッサの電源のＯＮ／ＯＦＦ、
（２）コンプレッサの圧縮運転の開始／停止、
（３）コンプレッサの圧縮運転のモードの切り替え（圧縮運転モードの設定／変更）、
（４）コンプレッサの盗難防止用のセキュリティ機能のＯＮ／ＯＦＦ、
（５）減圧弁を介して出力される圧力値の設定／変更（減圧弁の遠隔操作を含む）、
（６）コンプレッサの状態確認（モニタリング）、
（７）コンプレッサの制御装置の制御プログラムの更新、
といったものが挙げられる。
これらの遠隔操作項目（コンプレッサの制御やモニタリングに関する項目）が、携帯装置の表示部に選択可能に表示される。
【００７４】
タッチ操作によってユーザが所望の遠隔操作項目を選択すると、選択された遠隔操作項目に関する情報（リクエスト／処理命令）がコンプレッサに向けて送信される＜S305, S307＞。すなわち、携帯装置からコンプレッサに対して、所定のアクション（例えば選択された上記（１）〜（７）の何れかの処理）の実行が無線通信によってリクエストされる。
【００７５】
操作内容に関するリクエスト（処理命令）をコンプレッサが受信すると＜S309＞、コンプレッサの制御装置は、リクエストされた操作内容に基づいてコンプレッサ（具体的には圧縮装置または制御装置）を制御する＜S311＞。
【００７６】
続いて、コンプレッサの制御装置は、携帯装置から受信したリクエストの実行が完了したか否かについて判断を行って、「リクエストされた処理が未完了である」と判断した場合には＜S313のNo＞、その旨を携帯装置に送信し＜S315＞、それを受信した携帯装置では、リクエストした処理がコンプレッサ側で現在進行中である旨を表示する＜S317＞。このようにリクエストの完了（コンプレッサ側での処理の完了）に時間を要する処理の具体例としては、減圧弁を介して出力される圧縮エアーの圧力値の変更や、コンプレッサの制御装置のプログラムの更新などが挙げられる。
【００７７】
そして、「携帯装置からリクエストされた処理の実行が完了した」場合には＜S313のYes＞、その旨を携帯装置に送信し＜S319＞、それを受信した携帯装置では、リクエストした操作が完了した旨を表示する＜S321＞。これによりアンサーバックの着信の事実や、アンサーバックの内容が、ユーザに報知される。
【００７８】
つまり本実施形態では、コンプレッサの制御やモニタリングなどに関するリクエストが携帯装置からコンプレッサに無線で送信される。そして、携帯装置からリクエストされた処理がコンプレッサ側で完了すると、その完了を知らせるためのアンサーバック情報が、コンプレッサから携帯装置に送信される。ここでいう「アンサーバック情報」には、携帯装置から受信したリクエストがコンプレッサ側で完了したことを知らせるための情報などが含まれる。
【００７９】
なお本実施形態では、アンサーバック情報をユーザに報知する手段として、携帯装置の表示部を利用しているが、これに代えて（またはこれとともに）スピーカやバイブレータといった報知手段を利用することもできる。つまり、アンサーバック情報の着信の事実やアンサーバックの内容は、携帯装置の表示部、スピーカ、バイブレータのいずれか１種または２種以上を利用して、ユーザに報知することができる。
【００８０】
次に、上述した遠隔操作処理の具体的実施形態として、コンプレッサの減圧弁を介して出力される圧縮エアーの圧力値の変更処理について説明する。
【００８１】
（コンプレッサの減圧弁から出力される圧力値の変更処理）
図６は、コンプレッサの減圧弁から出力される圧力値を、携帯装置からの遠隔操作によって変更する際の処理の流れを示している。この処理は、前述した図５に示す遠隔操作処理（遠隔操作によるコンプレッサの制御）の具体例である。
【００８２】
ペアリング成立後、コンプレッサの制御装置は電源ＯＮ状態でスタンバイしている＜図６のステップS401＞。この状態でコンプレッサは、携帯装置からリクエスト（処理命令）を受信することが可能である。
【００８３】
一方、ペアリング成立後の携帯装置の表示部には、メニュー画面が表示されている。ユーザが「遠隔操作」に関するメニューを選択すると、選択可能な遠隔操作項目が一覧表示される。
【００８４】
タッチ操作によって、ユーザが遠隔操作項目として「減圧弁を介して出力される圧縮エアーの圧力値の変更」を選択すると、携帯装置の表示部に圧力値の設定画面が表示される＜S403＞。この圧力設定画面においてユーザが所望の圧力値（ユーザ側で必要な圧縮エアーの圧力値）を入力すると、入力された圧力値とともに圧力変更に関するリクエスト（処理命令）がコンプレッサに向けて送信される＜S405＞。
【００８５】
当該リクエスト（処理命令）をコンプレッサが受信すると＜S407＞、コンプレッサの制御装置は、リクエストされた操作内容に基づいてコンプレッサの圧縮装置を制御する＜S409, S411＞。具体的には、減圧弁の二次側圧力センサの検出値に基づいて、二次側圧力が所定値に到達するように、電動式減圧弁を電子制御する。あるいは、二次側圧力が所定値に到達するように、圧縮装置の圧縮運転を制御する。
【００８６】
続いて、コンプレッサの制御装置は、携帯装置から受信したリクエスト（出力圧の変更）の実行が完了したか否かについて判断を行って、「出力圧の変更が未完了である」と判断した場合には＜S413のNo＞、その旨を携帯装置に送信し、それを受信した携帯装置では、出力圧変更処理がコンプレッサ側で現在進行中である旨を表示する。
なお、圧力変更のように、コンプレッサ側での処理の完了に時間を要する場合には、単に「処理進行中」である旨を携帯装置側に送信するだけでなく、リクエストの具体的な進行状況として現在の到達値（現時点で出力可能な圧力値）を送信するようにしてもよい＜S415＞。またその場合、携帯装置側で、リクエストの進行状況として現在の到達値（現時点で出力可能な圧力値）をリアルタイムで表示するようにしてもよい＜S417＞。これにより、ユーザにとって必要な圧力値に到達した段階で、いち早く作業を開始することができる。
【００８７】
そして、「出力圧の変更が完了した」場合には＜S413のYes＞、その旨を携帯装置に送信し＜S419＞、それを受信した携帯装置では、出力圧の変更が完了した旨を表示する＜S421＞。
【００８８】
つまり本実施形態では、コンプレッサの制御（出力圧変更）に関するリクエストが携帯装置からコンプレッサに無線で送信される。そして、携帯装置からリクエストされた出力圧変更処理がコンプレッサ側で完了すると、その完了を知らせるためのアンサーバック情報が、コンプレッサから携帯装置に送信される。ここでいう「アンサーバック情報」には、携帯装置から受信した出力圧変更リクエストがコンプレッサ側で完了したことを知らせるための情報などが含まれる。
【００８９】
次に、前述した遠隔操作処理の具体的実施形態として、コンプレッサ側の制御プログラムのアップデート処理について説明する。
【００９０】
（携帯装置を利用したコンプレッサのアップデート処理）
図７は、コンプレッサ側の制御プログラムを、携帯装置からの遠隔操作によってアップデートする際の処理の流れを示している。この処理は、前述した図５に示す遠隔操作処理（遠隔操作によるコンプレッサの制御）の具体例である。
【００９１】
ペアリング成立後、コンプレッサの制御装置は電源ＯＮ状態でスタンバイしている＜図７のステップS501＞。この状態でコンプレッサは、携帯装置からリクエスト（処理命令）を受信することが可能である。
【００９２】
一方、ペアリング成立後の携帯装置の表示部には、メニュー画面が表示されている。ユーザが「遠隔操作」に関するメニューを選択すると、選択可能な遠隔操作項目が一覧表示される。
【００９３】
タッチ操作によって、ユーザが遠隔操作項目として「コンプレッサのプログラム・アップデート」を選択すると＜S503, S505＞、アップデート用のプログラムとともにプログラム・アップデートのリクエスト（処理命令）がコンプレッサに向けて送信される＜S507＞。
なお、この処理で使うアップデート用のプログラムは、インターネット経由で携帯装置にあらかじめダウンロードすることが可能である。携帯装置にダウンロードしたアップデート用プログラムは、該携帯装置からコンプレッサの制御装置に向けて送信される。
【００９４】
当該リクエスト（処理命令）をコンプレッサが受信すると＜S509＞、コンプレッサの制御装置は、リクエストされた操作内容に基づいてコンプレッサの制御装置にインストールされている制御プログラムをアップデートする＜S511＞。
【００９５】
続いて、コンプレッサの制御装置は、携帯装置から受信したリクエスト（プログラム・アップデート）の実行が完了したか否かについて判断を行って、「プログラム・アップデートが未完了である」と判断した場合には＜S513のNo＞、その旨を携帯装置に送信し＜S515＞、それを受信した携帯装置では、プログラム・アップデート処理がコンプレッサ側で現在進行中である旨を表示する＜S517＞。
なお、プログラム・アップデートのように、コンプレッサ側での処理完了に時間を要する場合には、単に「処理進行中」である旨を携帯装置側に送信するだけでなく、現在のアップデート進行状況（例えば進行状況を示す％やアップデート完了までの残り時間など）を送信するようにしてもよい。またその場合、携帯装置側で、現在の進行状況をリアルタイムで表示するようにしてもよい。これにより、ユーザ側で処理完了までの正確な待ち時間などを把握することができ、限られた作業時間を有効に使うことができる。
【００９６】
そして、「プログラム・アップデートが完了した」場合には＜S513のYes＞、その旨を携帯装置に送信し＜S519＞、それを受信した携帯装置では、プログラム・アップデートが完了した旨を表示する＜S521＞。
【００９７】
つまり本実施形態では、コンプレッサの制御に関するリクエスト（プログラム・アップデートのリクエスト）が携帯装置からコンプレッサに無線で送信される。そして、携帯装置からリクエストされたプログラム・アップデート処理が完了すると、その完了を知らせるためのアンサーバック情報が、コンプレッサから携帯装置に送信される。ここでいう「アンサーバック情報」には、携帯装置から受信したプログラム・アップデートのリクエストがコンプレッサ側で完了したことを知らせるための情報などが含まれる。
【００９８】
次に、前述した遠隔操作処理の具体的実施形態として、遠隔操作によってコンプレッサ側の状態を確認する処理について説明する。
【００９９】
（携帯装置を利用したコンプレッサの状態確認処理）
図８は、コンプレッサ側の現在の状態を、携帯装置からの遠隔操作によって確認する際の処理の流れを示している。この処理は、前述した図５に示す遠隔操作処理（遠隔操作によるコンプレッサのモニタリング）の具体例である。
【０１００】
このような処理は、例えば、エアー工具を使用しているユーザとは異なるユーザ（具体的には現場監督や使用待ちしている他のユーザなど）が、自己の携帯装置を利用して、コンプレッサの現状を確認する際などに利用することができる。
【０１０１】
ペアリング成立後、コンプレッサの制御装置は電源ＯＮ状態でスタンバイしている＜図８のステップS601＞。この状態でコンプレッサは、携帯装置からリクエスト（処理命令）を受信することが可能である。
【０１０２】
一方、ペアリング成立後の携帯装置の表示部には、メニュー画面が表示されている。ユーザが「遠隔操作」に関するメニューを選択すると、選択可能な遠隔操作項目が一覧表示される。
【０１０３】
タッチ操作によって、ユーザが遠隔操作項目として「コンプレッサの状態確認」を選択すると、確認可能な項目の一覧が携帯装置に表示される＜S603＞。確認可能な項目（確認項目）の具体例としては、例えば、電源のＯＮ／ＯＦＦ状態、セキュリティ機能のＯＮ／ＯＦＦ状態、圧縮装置の運転／停止状態、圧力値の設定値、現在出力可能な圧力値、当日の運転時間、メンテナンス情報などが挙げられる。
【０１０４】
続いてユーザがいずれかの確認項目を選択すると＜S605＞、選択された確認項目とともに、状態確認に関するリクエスト（処理命令）がコンプレッサに向けて送信される＜S607＞。
【０１０５】
当該リクエスト（処理命令）をコンプレッサが受信すると＜S609＞、コンプレッサの制御装置は、リクエストされた確認項目に基づいてコンプレッサの状態を確認して＜S611＞、その確認内容を携帯装置に送信し＜S613＞、それを受信した携帯装置では、確認された内容を表示する＜S615＞。
【０１０６】
つまり本実施形態では、コンプレッサのモニタリング（状態確認）に関するリクエストが携帯装置からコンプレッサに無線で送信される。そして、リクエストされたモニタリング（状態確認）がコンプレッサ側で完了すると、そのモニタリング結果を含むアンサーバック情報が、コンプレッサから携帯装置に送信される。
【０１０７】
なお、上述した状態確認処理はコンプレッサ側で自動的に繰り返すことが可能である。これにより、コンプレッサの状態を遠隔地で継続的にモニタリングすることができる。
【０１０８】
次に、コンプレッサ側で異常が発生した場合の処理について説明する。
【０１０９】
（コンプレッサ側で異常が発生した場合の処理）
図９は、コンプレッサ側で異常が発生した場合の処理の流れを示している。
【０１１０】
ペアリング成立後、コンプレッサの制御装置は電源ＯＮ状態でスタンバイしている＜図９のステップS701＞。コンプレッサの圧縮装置は、携帯装置からの遠隔操作に従って、圧縮運転を実行している。
【０１１１】
一方、ペアリング成立後の携帯装置は、コンプレッサの制御・モニタリング用のアプリケーションが起動した状態でスタンバイしている＜S703＞。
【０１１２】
この状態でコンプレッサの制御装置は、当該コンプレッサに何らかの異常（不具合を含む）が発生していないかを監視し続ける＜S705＞。ここでいう「異常」とは、例えば、オーバーヒートなどが原因でコンプレッサが（ユーザが知らない間に）停止した場合や、圧縮装置の不具合によって出力圧が低下した場合などが挙げられる。
【０１１３】
コンプレッサの制御装置が、「当該コンプレッサに異常が発生した」と判断した場合には＜S705のYes＞、続いて、その異常の内容や原因を検出する＜S707＞。例えば、オーバーヒートが原因でコンプレッサが停止した場合には、「圧縮運転が停止した」という異常内容と、「オーバーヒート」という異常原因が検出される。なお、コンプレッサには異常を検出するための各種センサが設けられており、当該センサは制御装置のプロセッサに電気的に接続されている。
【０１１４】
続いて、コンプレッサの制御装置は、検出結果に基づいて、異常発生の事実、異常の内容、異常の原因のいずれか１種または２種以上を含む情報を携帯装置に送信し＜S709＞、それを受信した携帯装置では、その異常の内容等を表示する＜S711, S713＞。
【０１１５】
つまり本実施形態では、コンプレッサ側で異常が発生した場合にはコンプレッサ側でその異常が検出され、さらに、その異常発生の事実や内容、原因などが、携帯装置に送信されて、リアルタイムで携帯装置に表示されてユーザに報知されるようになっている。
【０１１６】
（コンプレッサとの通信可否の確認処理）
図１０は、携帯装置における処理であって、コンプレッサとの双方向無線通信の可否を確認するための処理の流れを示している。
【０１１７】
携帯装置は、その通信部を通じてコンプレッサとの接続確認（双方向無線通信ができるか否かの確認処理）を繰り返す＜図１０のステップS801＞。
【０１１８】
コンプレッサとのワイヤレス接続が維持されている場合には、コンプレッサが通信圏内にあると判断し＜S803のYes＞、以後も同様の確認処理を繰り返す。
【０１１９】
一方、例えばコンプレッサの電源が切られて通信圏外に持ち去られた場合には、コンプレッサとのワイヤレス接続は切断される。この場合、携帯装置は、コンプレッサが通信圏外に出たと判断し＜S803のNo＞、アラームを出力してその事実をユーザに報知する＜S805＞。
【０１２０】
すなわち本実施形態では、持ち去りなどが原因でコンプレッサとの間での無線通信ができない事態に至った場合に、携帯装置を所持するユーザに通信不能が報知される。
【０１２１】
アラームによってユーザに報知する方法は特に限定されず、携帯装置の表示部によるアラーム表示、スピーカからのアラーム音の出力、バイブレータによるアラーム振動の発生などの何れか１種または２種以上を利用することができる。
【０１２２】
（その他の実施形態）
上述した実施形態では、コンプレッサの構成、携帯装置の構成、コンプレッサと携帯装置における情報処理方法について説明したが、本発明は上述したコンプレッサと携帯装置とを含んで構成される「エアーコンプレッサのリモートコントロールシステム」の形態で実施することも可能である。
【０１２３】
また本発明は、図３〜図１０に例示される処理（ステップ）を含む「エアーコンプレッサのリモートコントロール方法」の形態で実施することも可能である。
【０１２４】
また本発明は、携帯装置が具備するプロセッサを、
・エアーコンプレッサの制御やモニタリングに関するリクエストを、該エアーコンプレッサに送信するためのリクエスト送信手段、
・エアーコンプレッサでのリクエスト実行結果を含むアンサーバック情報を、エアーコンプレッサから受信するためのアンサーバック受信手段、および
・受信したアンサーバック情報の全部または一部を、携帯装置を所持するユーザに報知するための報知手段、
などとして機能させるプログラムの形態で実施することも可能である。
【符号の説明】
【０１２５】
１      圧縮装置
３      制御装置
１１    モータ
１３    減圧弁
１５    一次側圧力センサ
１７    二次側圧力センサ
１９    プロセッサ（制御部）
３１    メモリ
３３    通信部（通信モジュール）
３５    プロセッサ（制御部）
５１    表示部
５３    通信部（通信モジュール）
５５    スピーカ
５７    バイブレータ
５９    メモリ
６１    プロセッサ（制御部）
【図１】
2016205326.tif 000003
【図２】
2016205326.tif 000004
【図３】
2016205326.tif 000005
【図４】
2016205326.tif 000006
【図５】
2016205326.tif 000007
【図６】
2016205326.tif 000008
【図７】
2016205326.tif 000009
【図８】
2016205326.tif 000010
【図９】
2016205326.tif 000011
【図１０】
2016205326.tif 000012
【図１１】
2016205326.tif 000013